(57)【要約】【課題】ボディーの背面に設置された画像表示部が携行している間などに汚れたり傷ついたりするのを防止することができるとともに、画像表示部に表示できる情報量を増大することができる電子カメラを提供すること。【解決手段】本発明の電子カメラ１は、撮影光学系により得られた被写体像を撮像する撮像素子からの信号に基づいて画像データを生成する画像生成手段を備える。この電子カメラ１は、ボディー２と、ボディー２の背面に固定的に設置された第１ＬＣＤ３２と、ボディー２に対し回転支持部３３を介して回動可能に設置された可動部材４に設置された第２ＬＣＤ４１とを備える。第１ＬＣＤ３２および第２ＬＣＤ４１には、画像生成手段により生成された画像を表示することができる。可動部材４は、第１ＬＣＤ３２を覆うようにボディー２の背面側に重ねられた閉状態と、該閉状態から回動してボディー２と重ならない位置に変位した開状態とをとり得る。【選択図】図３
2005086283.tif 000002
【特許請求の範囲】
【請求項１】
撮影光学系と、該撮影光学系により得られた被写体像を撮像する撮像素子と、前記撮像素子からの信号に基づいて画像データを生成する画像生成手段とを備えた電子カメラであって、
ボディーと、
前記ボディーの背面に固定的に設置され、前記画像生成手段により生成された画像を表示し得る第１の画像表示部と、
前記ボディーに対し回転支持部を介して回動可能に設置され、前記第１の画像表示部を覆うように前記ボディーの背面側に重ねられた閉状態と、該閉状態から回動して前記ボディーと重ならない位置に変位した開状態とをとり得る可動部材と、
前記可動部材に設置され、前記画像生成手段により生成された画像を表示し得る第２の画像表示部と、
前記第１の画像表示部および前記第２の画像表示部の表示を制御する制御手段とを備えたことを特徴とする電子カメラ。
【請求項２】
前記可動部材の開閉状態を検出する開閉検出手段を備える請求項１に記載の電子カメラ。
【請求項３】
開状態にある前記可動部材の表裏を反転し得るように前記可動部材を回転可能に支持する第２の回転支持部をさらに備え、
前記可動部材は、開状態のとき、前記第２の回転支持部によって回転することにより、前記第２の画像表示部が背面を向く姿勢と、前記第２の画像表示部が正面を向く姿勢とをとり得る請求項１または２に記載の電子カメラ。
【請求項４】
前記可動部材の表裏反転状態を検出する表裏反転検出手段を備える請求項３に記載の電子カメラ。
【請求項５】
前記第２の画像表示部と前記第１の画像表示部とが向かい合わせになるように前記可動部材を閉状態にし得る請求項１ないし４のいずれかに記載の電子カメラ。
【請求項６】
前記第２の画像表示部が背面に露出するように前記可動部材を閉状態にし得る請求項１ないし５のいずれかに記載の電子カメラ。
【請求項７】
前記可動部材が開状態とされて前記第２の画像表示部が背面を向いているとき、前記画像生成手段により生成されたライブビュー画像を前記第１の画像表示部および前記第２の画像表示部の一方に表示するとともに他方にユーザーの撮影行動を補助する撮影補助画像を表示可能である請求項１ないし６のいずれかに記載の電子カメラ。
【請求項８】
前記撮影補助画像として、当該電子カメラの状態に関する情報を表示可能である請求項７に記載の電子カメラ。
【請求項９】
前記撮影補助画像として、前記画像生成手段により生成された拡大ライブビュー画像を表示可能である請求項７または８に記載の電子カメラ。
【請求項１０】
前記撮影補助画像として、当該電子カメラの操作方法に関する情報を表示可能である請求項７ないし９のいずれかに記載の電子カメラ。
【請求項１１】
前記撮影補助画像として、前回のレリーズ時に撮影された画像を表示可能である請求項７ないし１０のいずれかに記載の電子カメラ。
【請求項１２】
前記可動部材が開状態とされて前記第２の画像表示部が正面を向いているとき、前記画像生成手段により生成されたライブビュー画像を前記第１の画像表示部および前記第２の画像表示部の両方に表示可能である請求項１ないし１１のいずれかに記載の電子カメラ。
【請求項１３】
前記可動部材が開状態とされて前記第２の画像表示部が正面を向いているとき、前記画像生成手段により生成されたライブビュー画像を前記第１の画像表示部に表示するとともに被写体となる人の注意を引くための画像を前記第２の画像表示部に表示可能である請求項１ないし１２のいずれかに記載の電子カメラ。
【請求項１４】
前記第１の画像表示部および前記第２の画像表示部に相異なる二つの既撮影画像をそれぞれ再生表示可能である請求項１ないし１３のいずれかに記載の電子カメラ。
【請求項１５】
前記第１の画像表示部および前記第２の画像表示部に相異なる二つの既撮影画像をそれぞれ再生表示する際、最近に選択された既撮影画像を前記第１の画像表示部および前記第２の画像表示部の一方に表示するとともに他方にその前の回に選択された既撮影画像を表示する請求項１４に記載の電子カメラ。
【請求項１６】
既撮影画像を前記第１の画像表示部および前記第２の画像表示部の一方に再生表示するとともに他方に当該既撮影画像の撮影時の撮影データに関する情報を表示可能である請求項１ないし１５のいずれかに記載の電子カメラ。
【請求項１７】
前記第１の画像表示部および前記第２の画像表示部の一方に縮小された複数の既撮影画像を並べたマルチ画像を表示するとともに他方に前記マルチ画像中から選択された一つの既撮影画像を再生表示可能である請求項１ないし１６のいずれかに記載の電子カメラ。
【請求項１８】
前記第１の画像表示部の大きさと前記第２の画像表示部の大きさとがほぼ同じである請求項１ないし１７のいずれかに記載の電子カメラ。
【発明の詳細な説明】
【技術分野】
【０００１】
本発明は、電子カメラに関する。
【背景技術】
【０００２】
従来、電子カメラ（デジタルカメラ）には、ボディー（本体）の背面に液晶表示素子が設けられている（例えば、特許文献１参照）。この液晶表示素子は、撮影時に被写体のリアルタイムな画像（ライブビュー画像）を表示してファインダーとして利用したり、既に撮影・記録した画像を再生表示したりすることができる。
【０００３】
従来の電子カメラでは、この液晶表示素子の画面が常に剥き出しになっているので、携行している間に汚れや傷が付きやすいという問題がある。
【０００４】
また、電子カメラのボディーの背面には、液晶表示素子の他に各種のスイッチ類を配置したり、手で把持するためのスペースを確保したりする必要があることに加えて、近年では携帯のしやすさの追求によってボディーのサイズの小型化が進行していることから、液晶表示素子の画面の大きさは厳しく制約され、十分な大きさを確保することが難しい状況にある。そのため、液晶表示素子の画面が小さくて見づらいという問題もある。
【０００５】
【特許文献１】特開平９−１６３１９１号公報
【発明の開示】
【発明が解決しようとする課題】
【０００６】
本発明の目的は、ボディーの背面に設置された画像表示部が携行している間などに汚れたり傷ついたりするのを防止することができるとともに、画像表示部に表示できる情報量を増大することができる電子カメラを提供することにある。
【課題を解決するための手段】
【０００７】
このような目的は、下記（１）〜（１８）の本発明により達成される。
（１）  撮影光学系と、該撮影光学系により得られた被写体像を撮像する撮像素子と、前記撮像素子からの信号に基づいて画像データを生成する画像生成手段とを備えた電子カメラであって、
ボディーと、
前記ボディーの背面に固定的に設置され、前記画像生成手段により生成された画像を表示し得る第１の画像表示部と、
前記ボディーに対し回転支持部を介して回動可能に設置され、前記第１の画像表示部を覆うように前記ボディーの背面側に重ねられた閉状態と、該閉状態から回動して前記ボディーと重ならない位置に変位した開状態とをとり得る可動部材と、
前記可動部材に設置され、前記画像生成手段により生成された画像を表示し得る第２の画像表示部と、
前記第１の画像表示部および前記第２の画像表示部の表示を制御する制御手段とを備えたことを特徴とする電子カメラ。
【０００８】
これにより、ボディーの背面に設置された画像表示部が携行している間などに汚れたり傷ついたりするのを防止することができるとともに、画像表示部に表示できる情報量を増大することができる電子カメラを提供することができる。
【０００９】
（２）  前記可動部材の開閉状態を検出する開閉検出手段を備える上記（１）に記載の電子カメラ。
【００１０】
これにより、第１の画像表示部および第２の画像表示部が外から見える状態になっているか否かを検出することができる。
【００１１】
（３）  開状態にある前記可動部材の表裏を反転し得るように前記可動部材を回転可能に支持する第２の回転支持部をさらに備え、
前記可動部材は、開状態のとき、前記第２の回転支持部によって回転することにより、前記第２の画像表示部が背面を向く姿勢と、前記第２の画像表示部が正面を向く姿勢とをとり得る上記（１）または（２）に記載の電子カメラ。
【００１２】
これにより、状況に応じて第２の画像表示部の向きを選択できるので、多様な使用状況において利便性をより向上することができる。
【００１３】
（４）  前記可動部材の表裏反転状態を検出する表裏反転検出手段を備える上記（３）に記載の電子カメラ。
【００１４】
これにより、可動部材が閉状態のとき、第２の画像表示部が外から見える状態になっているか否かを検出することができる。
【００１５】
（５）  前記第２の画像表示部と前記第１の画像表示部とが向かい合わせになるように前記可動部材を閉状態にし得る上記（１）ないし（４）のいずれかに記載の電子カメラ。
【００１６】
これにより、電子カメラを使用しないときには、第１の画像表示部と第２の画像表示部とを向かい合わせにしておくことができるので、第１の画像表示部および第２の画像表示部の両方を保護することができ、これらに汚れや傷が付くのを防止することができる
（６）  前記第２の画像表示部が背面に露出するように前記可動部材を閉状態にし得る上記（１）ないし（５）のいずれかに記載の電子カメラ。
【００１７】
これにより、２画面表示をする必要がないときには、可動部材を閉じたままで第２の画像表示部のみを動作させて、簡便に使用することができる。
【００１８】
（７）  前記可動部材が開状態とされて前記第２の画像表示部が背面を向いているとき、前記画像生成手段により生成されたライブビュー画像を前記第１の画像表示部および前記第２の画像表示部の一方に表示するとともに他方にユーザーの撮影行動を補助する撮影補助画像を表示可能である上記（１）ないし（６）のいずれかに記載の電子カメラ。
【００１９】
これにより、ユーザーは、撮影補助画像を参考とすることができ、より良い撮影を行うことができる。
【００２０】
（８）  前記撮影補助画像として、当該電子カメラの状態に関する情報を表示可能である上記（７）に記載の電子カメラ。
【００２１】
これにより、一方の画像表示部に表示された電子カメラの各種モードの設定状態等を確認しつつ撮影することができるので、それらの設定状態等を誤認してミス撮影をするようなことを確実に防止することができる。また、他方の画像表示部に表示されたライブビュー画像には、モード設定状態等の情報が重ねて表示しなくて済むので、ライブビュー画像が見やすくなり、撮影を容易に行うことができる。
【００２２】
（９）  前記撮影補助画像として、前記画像生成手段により生成された拡大ライブビュー画像を表示可能である上記（７）または（８）に記載の電子カメラ。
【００２３】
これにより、撮影を行う際、拡大画像によって、ピントが合っているかどうかをより確実に確認することができる。
【００２４】
（１０）  前記撮影補助画像として、当該電子カメラの操作方法に関する情報を表示可能である上記（７）ないし（９）のいずれかに記載の電子カメラ。
【００２５】
これにより、当該電子カメラの操作に慣れていない初心者が使用するような場合であっても、表示される操作ガイドを参考にしながら、円滑かつ容易に電子カメラを使用することができる。
【００２６】
（１１）  前記撮影補助画像として、前回のレリーズ時に撮影された画像を表示可能である上記（７）ないし（１０）のいずれかに記載の電子カメラ。
【００２７】
これにより、前回のレリーズ時に撮影した画像を見て参考にしながら次の撮影を行うことができるので、より良い撮影を行うことができる。
【００２８】
（１２）  前記可動部材が開状態とされて前記第２の画像表示部が正面を向いているとき、前記画像生成手段により生成されたライブビュー画像を前記第１の画像表示部および前記第２の画像表示部の両方に表示可能である上記（１）ないし（１１）のいずれかに記載の電子カメラ。
【００２９】
これにより、自分撮りをする場合、第２画像表示部に表示されるライブビュー画像を見ることにより、構図や表情などを確認しながら撮影を行うことができる。また、他の人に撮影してもらう場合であっても、被写体となる人が構図や表情などを自分でも確認しながら写してもらうことができる。
【００３０】
（１３）  前記可動部材が開状態とされて前記第２の画像表示部が正面を向いているとき、前記画像生成手段により生成されたライブビュー画像を前記第１の画像表示部に表示するとともに被写体となる人の注意を引くための画像を前記第２の画像表示部に表示可能である上記（１）ないし（１２）のいずれかに記載の電子カメラ。
【００３１】
これにより、被写体となる人の注意を引くことができ、その人を電子カメラの方向に注目させるとともに笑顔にさせるなどして迅速にシャッターチャンスを得ることができる。
【００３２】
（１４）  前記第１の画像表示部および前記第２の画像表示部に相異なる二つの既撮影画像をそれぞれ再生表示可能である上記（１）ないし（１３）のいずれかに記載の電子カメラ。
【００３３】
これにより、再生表示された相異なる二つの既撮影画像を同時に見ることができるので、既撮影画像の確認を効率良く迅速に行うことができる。
【００３４】
（１５）  前記第１の画像表示部および前記第２の画像表示部に相異なる二つの既撮影画像をそれぞれ再生表示する際、最近に選択された既撮影画像を前記第１の画像表示部および前記第２の画像表示部の一方に表示するとともに他方にその前の回に選択された既撮影画像を表示する上記（１４）に記載の電子カメラ。
【００３５】
これにより、再生表示された相異なる二つの既撮影画像を同時に見ることができるので、既撮影画像の確認を効率良く迅速に行うことができる。
【００３６】
（１６）  既撮影画像を前記第１の画像表示部および前記第２の画像表示部の一方に再生表示するとともに他方に当該既撮影画像の撮影時の撮影データに関する情報を表示可能である上記（１）ないし（１５）のいずれかに記載の電子カメラ。
【００３７】
これにより、既撮影画像を確認するとともに、その撮影データ情報をも同時に確認することができる。
【００３８】
（１７）  前記第１の画像表示部および前記第２の画像表示部の一方に縮小された複数の既撮影画像を並べたマルチ画像を表示するとともに他方に前記マルチ画像中から選択された一つの既撮影画像を再生表示可能である上記（１）ないし（１６）のいずれかに記載の電子カメラ。
【００３９】
これにより、ユーザーは、再生表示したい既撮影画像の選択操作を容易に行うことができるとともに、マルチ画像とそこから選択した画像とを一々切替表示させる必要がないので、迅速かつ容易に既撮影画像を確認することができる。
【００４０】
（１８）  前記第１の画像表示部の大きさと前記第２の画像表示部の大きさとがほぼ同じである上記（１）ないし（１７）のいずれかに記載の電子カメラ。
【００４１】
これにより、これにより、見やすさをさらに向上することができるとともに、第１の画像表示部と第２の画像表示部とで部品の共通化が図れ、比較的低いコストで製造することができる
【発明の効果】
【００４２】
本発明によれば、ボディーの背面に設置された第１の画像表示部が携行している間などに汚れたり傷ついたりするのを防止することができる。
【００４３】
また、第１の画像表示部と、可動部材に設置された第２の画像表示部との二つの画像表示部を用いることができるので、画像表示量を増大することができ、また、使用状況に合わせて多様な内容の表示を行うことができる。
【発明を実施するための最良の形態】
【００４４】
以下、本発明の電子カメラを添付図面に示す好適な実施形態に基づいて詳細に説明する。
図１ないし図３は、それぞれ、本発明の電子カメラの実施形態（可動部材が開状態のとき）を示す正面図、平面図および背面図、図４ないし図６は、それぞれ、本発明の電子カメラの実施形態（可動部材が閉状態のとき）を示す背面図、底面図および側面図、図７は、本発明の電子カメラの実施形態（可動部材が閉状態であって第２ＬＣＤが背面に露出している状態）を示す背面図、図８は、本発明の電子カメラの実施形態を示す回路ブロック図である。
【００４５】
これらの図に示す電子カメラ（デジタルカメラ）１は、ボディー（カメラ本体）２を有している。図１に示すように、ボディー２の正面には、撮影光学系２１を内蔵したレンズ鏡筒２２と、ストロボ発光部２３とが設けられている。図２に示すように、ボディー２の上面には、レリーズボタン２４と、メインスイッチ２５とが設けられている。図３に示すように、ボディー２の背面には、メニューボタン２６と、ＲＥＣ／ＰＬＡＹボタン２７と、四方向キー２８と、該四方向キー２８の中央に位置するＯＫボタン２９と、ファインダー３０と、ズームレバー３１とが設けられている。
【００４６】
さらに、ボディー２の背面には、液晶表示素子で構成された第１ＬＣＤ（第１の画像表示部）３２が設置されている。
【００４７】
また、電子カメラ１は、ボディー２の一端部に設けられた回転支持部（ヒンジ構造部）３３を介して回動可能に設置された平板状の可動部材４を有している。図２に示すように、この可動部材４は、回転支持部３３を中心として、同図中の二点鎖線で示す軌跡を描くようにボディー２に対し回動可能になっている。これにより、可動部材４は、第１ＬＣＤ３２を覆うようにボディー２の背面側に重ねられた閉状態（図４ないし図７に示す状態）と、この閉状態から回動してボディー２と重ならない位置に変位した開状態（図１ないし図３に示す状態）とをとることができる。
【００４８】
可動部材４が閉状態のときには、第１ＬＣＤ３２は、可動部材４によって覆われて保護されるので、電子カメラ１を携行している間などに第１ＬＣＤ３２に汚れや傷が付くのを防止することができる。
【００４９】
図５および図６に示すように、本実施形態では、ボディー２は、可動部材４と重なる部分が窪んだ形状になっており、可動部材４を閉状態としたとき、可動部材４がボディー２に対して段差なく収納されるように構成されている。
【００５０】
図２および図３に示すように、可動部材４と回転支持部３３との間には、第２の回転支持部３４が設けられている。第２の回転支持部３４は、回転支持部３３の回転軸と直交する回転軸を中心として可動部材４を少なくとも１８０°回転可能に支持している。これにより、可動部材４は、開状態にあるとき、その表裏を反転し得るようになっている。
【００５１】
可動部材４の片面には、液晶表示素子で構成された第２ＬＣＤ（第２の画像表示部）４１が設置されている。本発明の電子カメラ１では、第１ＬＣＤ３２に加えてこの第２ＬＣＤ４１を設けたことにより、画像表示量（情報量）を増大することができ、利便性の向上が図れる。
【００５２】
このような可動部材４は、開状態のとき、第２の回転支持部３４によって回転することにより、第２ＬＣＤ４１が背面を向く姿勢（図３に示す状態）と、第２ＬＣＤ４１が正面を向く姿勢（図１に示す状態）とをとることができる。
【００５３】
図示の構成では、第１ＬＣＤ３２と第２ＬＣＤ４１とは、同じ大きさとされている。これにより、見やすさをさらに向上することができるとともに、同機種の液晶表示素子を用いることができるので、部品の共通化が図れ、比較的低いコストで製造することができる。
【００５４】
可動部材４は、図３に示す状態からでも図１に示す状態からでも閉じることができる。 図３に示す状態から可動部材４を閉状態にすると、第１ＬＣＤ３２と第２ＬＣＤ４１とが向かい合わせになる状態に可動部材４が収納される（図４参照）。電子カメラ１を使用しないときには、この状態にすることにより、第１ＬＣＤ３２および第２ＬＣＤ４１の両方を保護することができ、これらに汚れや傷が付くのを防止することができる。
【００５５】
図１に示す状態から可動部材４を閉状態にすると、第２ＬＣＤ４１が背面に露出する状態となるように可動部材４が収納される（図７参照）。後述するように、電子カメラ１は、この状態では第２ＬＣＤ４１のみを動作させて使用することができるので、２画面表示をする必要がないときには、可動部材４を閉じたままで簡便に使用することができる。
【００５６】
図８に示すように、電子カメラ１は、例えばマイクロコンピュータ等で構成された制御手段５０と、撮影光学系２１により得られた被写体像を撮像する撮像素子としてのＣＣＤ（Charge Coupled Device）５１と、ＤＲＡＭ（Dynamic Random Access Memory）５２と、ＶＲＡＭ（Video Random Access Memory）５３と、第１ＬＣＤ３２用のオンスクリーンディスプレイ回路５４ａと、第２ＬＣＤ４１用のオンスクリーンディスプレイ回路５４ｂと、可動部材４の開閉状態を検出する開閉検出スイッチ（開閉検出手段）５５と、可動部材４の表裏反転状態を検出する表裏反転検出スイッチ（表裏反転検出手段）５６と、ＣＣＤ５１を駆動するＣＣＤドライバ５７と、撮影光学系２１のフォーカシングレンズ（図示せず）を光軸方向に移動させて合焦を行うフォーカシングレンズ駆動機構５８と、ＥＥＰＲＯＭ（Electrically Erasable Programmable Read-Only Memory）６１と、測光スイッチ６５と、レリーズスイッチ６６とを備えている。
【００５７】
制御手段５０は、予め記憶されたプログラムや各操作部からの入力信号に基づいて電子カメラ１全体を統括的に制御するとともに、ＣＣＤ５１からの信号に基づいて画像データを生成する画像生成手段としての機能をも有している。
【００５８】
ＶＲＡＭ５３は、第１ＬＣＤ３２に表示する画像のデータを記憶する領域と、第２ＬＣＤ４１に表示する画像のデータを記憶する領域とを有している。以下では、便宜上、第１ＬＣＤ３２用の領域をＶＲＡＭ５３ａと言い、第２ＬＣＤ４１用の領域をＶＲＡＭ５３ｂと言う。
【００５９】
ＤＲＡＭ５２には、画像データ生成等の作業を行う作業領域や、第１ＬＣＤ３２用領域、第２ＬＣＤ４１用領域、後述する１コマ前画像を記憶するための表示用記録画像領域、後述するアニメーション動画ファイルを展開するためのアニメ１用領域およびアニメ２用領域、後述する撮影データを記憶するためのデータ領域等が予め定められている。
【００６０】
このような電子カメラ１では、撮影可能状態（撮影モード）にあるとき、次のようにして第１ＬＣＤ３２にライブビュー画像を表示することができる。
【００６１】
撮影光学系２１を介してＣＣＤ５１上に結像した被写体像は、光電変換されて電荷データとなる。この電荷データ（信号）は、ライブビュー画像データ作成のため、ＣＣＤ５１から所定画素分ずつ間引かれて順次読み出され、相関二重サンプリング回路５９にてサンプル、ＡＤ変換器６０にてデジタル変換された後、制御手段５０内へ入力される。制御手段５０内の信号処理回路においては、入力された信号に対して所定のカラープロセス処理やγ補正等の信号処理が施され、ライブビュー画像データ（輝度信号データＹ、二つの色差信号データＣｒ、Ｃｂ）が生成される。このライブビュー画像データ（以下、「スクリーンネイルＳ１」とも言う）は、第１ＬＣＤ３２の表示画素数に対応して、ＣＣＤ５１の有効画素数よりも少ない画素数（間引きしたデータ数）の画像データで、ＤＲＡＭ５２に書き込まれた後、ＶＲＡＭ５３ａに書き込まれる。
【００６２】
ＶＲＡＭ５３ａ内のスクリーンネイルＳ１は、ＤＡ変換器６２ａにてアナログ変換された後、ビデオエンコーダ６３ａに入力される。ビデオエンコーダ６３ａは、ビデオ信号を生成して、合成器６４ａへ出力する。このスクリーンネイルＳ１の生成処理は、ＣＣＤ５１の読み出しとともに周期的に更新され、第１ＬＣＤ３２上では、リアルタイムの動画としてモニター表示される。
【００６３】
また、オンスクリーンディスプレイ回路５４ａは、制御手段５０の制御に基づき、第１ＬＣＤ３２の表示画面内の任意の位置に表示する、画像以外の表示情報（例えば、測距ゾーン、撮影枚数、撮影モード、各種設定情報、ガイド情報等）の信号を生成して、合成器６４ａへ出力する。
【００６４】
合成器６４ａにおいては、ビデオエンコーダ６３ａからのビデオ信号と、オンスクリーンディスプレイ回路５４ａからのオンスクリーン信号とを合成して、第１ＬＣＤ３２へ出力する。これにより、第１ＬＣＤ３２には、ＣＣＤ５１が撮像したライブビュー画像（モニター画像）と、オンスクリーンディスプレイ回路５４ａによって生成された各種情報とが合成されて同時に表示される。
【００６５】
このような撮影可能状態において、レリーズボタン２４が半押しされると、測光スイッチ６５がオンする。測光スイッチ６５がオンした場合、制御手段５０は、測光を行うとともに、フォーカシングレンズ駆動機構５８を作動させて、ＡＦ駆動制御（合焦）を行う。この状態から、さらにレリーズボタン２４が全押しされると、レリーズスイッチ６６がオンする。レリーズスイッチ６６がオンした場合、制御手段５０は、ＣＣＤ５１の電荷蓄積時間（露光時間）を制御するとともに、ＣＣＤ５１から画素間引きせずに電荷データを読み出し、ＤＲＡＭ５２内にて、画素データ数の多い記録用静止原画像データを生成する。
【００６６】
さらに、制御手段５０は、生成された記録用静止原画像データから画素データ間引き処理をして、表示用静止画像のスクリーンネイル（例えば６４０×４８０画素）を生成し、ＶＲＡＭ５３ａに書き込んで、一定時間、第１ＬＣＤ３２に表示させる。また、制御手段５０は、生成された記録用静止原画像データをインターフェース６７を介して出力し、ボディー２内のスロットに装填された例えばメモリーカード等の記録媒体１００に記録する。
【００６７】
図９ないし図１３は、それぞれ、本発明の電子カメラの実施形態を示す背面図（可動部材が開状態であって第２ＬＣＤが背面を向いている状態）であって２画面表示の内容を説明するための図である。以下、これらの図および前出の図に基づいて、本発明の電子カメラ１における第１ＬＣＤ３２および第２ＬＣＤ４１の２画面表示の内容について説明する。
【００６８】
前述したように、本実施形態の電子カメラ１は、開状態にある可動部材４の表裏を反転可能であるが、通常の撮影時は、可動部材４が開状態であるとともに第２ＬＣＤ４１が背面を向いた状態（すなわち、第１ＬＣＤ３２および第２ＬＣＤ４１がともに撮影者側を向いた状態）で使用される。電子カメラ１をこの状態として撮影することを以下「通常撮影状態」と言う。
【００６９】
これに対し、可動部材４が開状態であるとともに第２ＬＣＤ４１が正面を向いた状態（すなわち、第２ＬＣＤ４１が被写体側を向いた状態）で撮影することを以下「第２ＬＣＤ反転状態」と言う。
【００７０】
なお、記録媒体１００に記録された既撮影画像を第１ＬＣＤ３２や第２ＬＣＤ４１に再生表示する再生状態のときには、原則として、可動部材４が開状態であるとともに第２ＬＣＤ４１が背面を向いた状態とされる。
【００７１】
以下、通常撮影状態、第２ＬＣＤ反転状態、再生状態の各状態における２画面表示の内容について順次説明する。
【００７２】
通常撮影状態のときには、前述したようにして第１ＬＣＤ３２にライブビュー画像を表示するが、これと同時に、第２ＬＣＤ４１にユーザーの撮影行動を補助する撮影補助画像を表示可能である。この撮影補助画像としては、「モード表示」、「中央拡大」、「操作ガイド」および「１コマ前画像」の４つのメニューから選択して設定可能になっている。
【００７３】
撮影補助画像として「モード表示」を設定した場合には、制御手段５０は、オンスクリーンディスプレイ回路５４ｂを制御して、第２ＬＣＤ４１に、電子カメラ１の状態に関する情報を表す画像を表示させる。電子カメラ１の状態に関する情報を表す画像とは、図９に示すように、例えば、ピクチャーモード、フラッシュ発光モード、バッテリー残量等の状態を表す図形である。また、この場合、制御手段５０は、第１ＬＣＤ３２にはこれらの情報を表示させず、ライブビュー画像のみを表示させる。これにより、ユーザーは、第２ＬＣＤ４１に表示された情報によって電子カメラ１の各種モードの設定状態等を確認しつつ撮影することができるので、各種モードの設定状態を誤認してミス撮影をするようなことを確実に防止することができる。また、第１ＬＣＤ３２に表示されるライブビュー画像には、モード設定状態等の情報が重ねて表示されないので、ライブビュー画像が見やすくなり、撮影を容易に行うことができる。
【００７４】
次に、撮影補助画像として「中央拡大」を設定した場合について説明する。この場合には、制御手段５０は、拡大ライブビュー画像を第２ＬＣＤ４１に表示させる（図３参照）。拡大ライブビュー画像は、次のようにして、生成・表示される。
【００７５】
拡大ライブビュー画像データを生成するため、ＣＣＤ５１の中央部の所定領域内の画素から間引かれて順次読み出された電荷データ（信号）は、前記と同様に、相関二重サンプリング回路５９にてサンプル、ＡＤ変換器６０にてデジタル変換された後、制御手段５０内へ入力される。制御手段５０内の信号処理回路においては、入力された信号に対して前記と同様の信号処理が施され、拡大ライブビュー画像データ（以下、「スクリーンネイルＳ２」とも言う）が生成される。
【００７６】
スクリーンネイルＳ２は、ＤＲＡＭ５２に書き込まれた後、ＶＲＡＭ５３ｂに書き込まれる。そして、ＶＲＡＭ５３ｂ内のスクリーンネイルＳ２は、ＤＡ変換器６２ｂにてアナログ変換された後、ビデオエンコーダ６３ｂに入力される。ビデオエンコーダ６３ｂは、ビデオ信号を生成して、合成器６４ｂへ出力する。このスクリーンネイルＳ２の生成処理は、ＣＣＤ５１の読み出しとともに周期的に更新され、第２ＬＣＤ４１上では、リアルタイムの動画としてモニター表示される。
【００７７】
また、オンスクリーンディスプレイ回路５４ｂは、制御手段５０の制御に基づき、第２ＬＣＤ４１の表示画面内の任意の位置に表示する、画像以外の表示情報（例えば、測距ゾーン、撮影枚数、撮影モード、各種設定情報、ガイド情報等）の信号を生成して、合成器６４ｂへ出力する。
【００７８】
合成器６４ｂにおいては、ビデオエンコーダ６３ｂからのビデオ信号と、オンスクリーンディスプレイ回路５４ｂからのオンスクリーン信号とを合成して、第２ＬＣＤ４１へ出力する。これにより、第２ＬＣＤ４１には、ＣＣＤ５１が撮像した拡大ライブビュー画像（モニター画像）と、オンスクリーンディスプレイ回路５４ｂによって生成された各種情報とが合成されて同時に表示される。
【００７９】
上記のようにして、撮影補助画像として「中央拡大」を設定した場合には、図３に示すように、撮影される領域の中央部が拡大された拡大ライブビュー画像が第２ＬＣＤ４１に表示される。これにより、レリーズボタン２４を半押ししてフォーカスロックしたとき、ピントが合っているかどうかを第２ＬＣＤ４１に表示された拡大画像によってより明確に視認することができるので、ピントが合っているかどうかをより確実に確認することができる。
【００８０】
なお、スクリーンネイルＳ２と、前記スクリーンネイルＳ１とは、同じ画素数（例えば６４０×４８０画素）ではあるが、スクリーンネイルＳ１がＣＣＤ５１の撮像領域の全体に渡って均等に間引きした画素を用いて生成されるのに対し、スクリーンネイルＳ２は、上述のようにＣＣＤ５１の中央部の所定領域内の画素から間引きした画素を用いて生成される。このように、スクリーンネイルＳ２は、スクリーンネイルＳ１をトリミングしたものではないので、拡大画像ではあっても、スクリーンネイルＳ１と同等の画質で視認できるように構成されている。
【００８１】
次に、撮影補助画像として「操作ガイド」を設定した場合について説明する。この場合には、制御手段５０は、オンスクリーンディスプレイ回路５４ｂを制御して、第２ＬＣＤ４１に、電子カメラ１の操作方法に関する情報を表示させる（図１０参照）。この情報は、ＥＥＰＲＯＭ６１内に予め用意されているものであり、図１０に示す例では、電子カメラ１の絵と各スイッチ類の説明文とが第２ＬＣＤ４１に表示されているが、これに限らず、例えば、電子カメラ１の操作を項目別に解説したテキストデータ等を表示してもよい。このように、撮影補助画像として「操作ガイド」を設定した場合には、電子カメラ１の操作に慣れていない初心者が使用する場合であっても、第２ＬＣＤ４１に表示される操作ガイドを参考にしながら、円滑かつ容易に電子カメラ１を使用することができる。
【００８２】
次に、撮影補助画像として「１コマ前画像」を設定した場合について説明する。この場合には、制御手段５０は、前回のレリーズ時に撮影された画像を第２ＬＣＤ４１に表示させる（図１１参照）。すなわち、図１１に示す例の場合、第２ＬＣＤ４１に表示されている３人の人物が並んで写った画像は、前回のレリーズ時に撮影された静止画像である。この場合、制御手段５０は、前回のレリーズ時に生成した、表示用静止画像のスクリーンネイルをＶＲＡＭ５３ｂにコピーしておき、レリーズされてから一定時間経過後（例えば、第１ＬＣＤ３２での表示が静止画表示からライブビュー表示に切り替わるタイミング）に、この表示用静止画像を第２ＬＣＤ４１に表示させる。このように、撮影補助画像として「１コマ前画像」を設定した場合には、前回のレリーズ時に撮影した画像を見て参考にしながら次の撮影を行うことができるので、より良い撮影を行うことができる。
【００８３】
次に、第２ＬＣＤ反転状態における２画面表示について説明する。第２ＬＣＤ反転状態においても、第１ＬＣＤ３２には通常撮影状態と同様にライブビュー画像を表示する。そして、第２ＬＣＤ４１の表示内容は、「第１ＬＣＤと同じ」、「アニメ表示１」および「アニメ表示２」の３つのメニューから選択して設定可能になっている。
【００８４】
第２ＬＣＤ反転状態における第２ＬＣＤ４１の表示内容として「第１ＬＣＤと同じ」を設定した場合には、制御手段５０は、ＶＲＡＭ５３ａに書き込まれたスクリーンネイルの画像データをＶＲＡＭ５３ｂにコピーするとともに、読み出し方向を反転してＶＲＡＭ５３ｂから読み出して、第２ＬＣＤ４１に表示させる。ここで、読み出し方向を反転して読み出すのは、第２ＬＣＤ４１が通常撮影状態と比べて上下逆さまになっているので、第２ＬＣＤ４１に表示される画像を正立させるためである。このような制御により、第２ＬＣＤ４１には、第１ＬＣＤ３２と同様にライブビュー画像が表示されるので、自分撮りをする場合に構図や表情などを確認しながら撮影を行うことができる。また、他の人に撮影してもらう場合であっても、被写体となる人が構図や表情などを自分でも確認しながら写してもらうことができる。
【００８５】
第２ＬＣＤ反転状態における第２ＬＣＤ４１の表示内容として「アニメ表示１」を設定した場合には、制御手段５０は、ＥＥＰＲＯＭ６１内に予め用意されている２つの動画ファイル（例えば、Ｍｏｔｉｏｎ  ＪＰＥＧ）のうち、所定の一方のファイルを開いて、動画を構成する複数の静止画像データを生成し、この静止画像データを順次ＶＲＡＭ５３ｂにコピーするとともに、読み出し方向を反転してＶＲＡＭ５３ｂから読み出して、第２ＬＣＤ４１に表示させる（図１参照）。これにより、第２ＬＣＤ４１には、アニメーション映像（図１に示す例では、複数の星が動き回る映像）が表示される。このアニメーション映像により、被写体となる人（子供など）の注意を引くことができ、その人を電子カメラ１の方向に注目させるとともに笑顔にさせるなどして迅速にシャッターチャンスを得ることができる。
【００８６】
第２ＬＣＤ反転状態における第２ＬＣＤ４１の表示内容として「アニメ表示２」を設定した場合には、前記と同様にして、もう一方の動画ファイルに基づく他の動画を第２ＬＣＤ４１に表示させることができる。
【００８７】
次に、再生状態における２画面表示について説明する。再生状態における２画面表示の内容は、「１コマ前画像」、「撮影データ表示」および「マルチ＆選択画面」の３つのメニューから選択して設定可能になっている。
【００８８】
再生状態における２画面表示について「１コマ前画像」が設定されている場合、既に撮影・記録された複数の既撮影画像のうち、ユーザーの所定の操作によって指定された所望の画像は、対応する画像ファイルが記録媒体１００からＤＲＡＭ５２へ読み込まれ、表示用スクリーンネイル（例えば６４０×４８０画素）が生成されるとともに、この表示用スクリーンネイルがＶＲＡＭ５３ａへ書き込まれて、第１ＬＣＤ３２に表示される。
【００８９】
次いで、ユーザーによって新たに再生表示する次の画像が指定されると、その画像に対応する画像ファイルが記録媒体１００からＤＲＡＭ５２へ読み込まれ、表示用スクリーンネイルが生成される。この新たに生成された表示用スクリーンネイルは、ＶＲＡＭ５３ａに書き込まれ、第１ＬＣＤ３２の表示は、ユーザーによって新たに指定された画像の再生表示に切り替わるのであるが、制御手段５０は、このＶＲＡＭ５３ａへの書き込みに先立って、それまでＶＲＡＭ５３ａにあった画像データをＶＲＡＭ５３ｂにコピーする処理を実行する。これにより、それまで第１ＬＣＤ３２に再生表示されていた画像は、第２ＬＣＤ４１へ移って継続表示される。
【００９０】
このようにして、再生状態における２画面表示について「１コマ前画像」が設定されている場合、第１ＬＣＤ３２には、最近に選択された既撮影画像が表示されるとともに、第２ＬＣＤ４１には、その前の回に選択された既撮影画像が表示される。これにより、ユーザーは、再生表示された相異なる二つの既撮影画像を同時に見ることができるので、既撮影画像の確認を効率良く迅速に行うことができる。
【００９１】
次に、再生状態における２画面表示について「撮影データ表示」が設定されている場合について説明する。この場合には、制御手段５０は、第１ＬＣＤ３２には前記と同様にユーザーによって指定された既撮影画像を再生表示させるとともに、第２ＬＣＤ４１には、第１ＬＣＤ３２に再生表示した既撮影画像についての撮影データ情報（例えば撮影日時、絞り値、露光時間等）を表示させる（図１２参照）。これらの撮影データ情報は、記録媒体１００内へ記録された例えばＥＸＩＦ形式の画像ファイルの中に、圧縮画像データとともに記録されている。そして、制御手段５０は、この画像ファイル内の撮影データ情報も読み込んで、オンスクリーンディスプレイ回路５４ｂを制御し、これらの撮影データ情報を第２ＬＣＤ４１に表示させる。これにより、ユーザーは、再生画像を確認するとともに、これらの撮影データ情報をも同時に確認することができる。
【００９２】
次に、再生状態における２画面表示について「マルチ＆選択画面」が設定されている場合について説明する。この場合には、制御手段５０は、記録媒体１００内から読み出した複数の画像ファイルに基づき、ＤＲＡＭ５２上にて、個々の記録画像（既撮影画像）をマルチ画面表示するためのサムネイル画像（スクリーンネイルよりも小さく、３行×３列に９個配列してスクリーンネイル１画面分の大きさとなるもの）を生成する。そして、制御手段５０は、これらのサムネイル画像をＶＲＡＭ５３ａにマトリクス配置して書き込む。これにより、第１ＬＣＤ３２には、各記録画像のサムネイル画像が３行×３列に並べて配置されたマルチ画像が表示される（図１３参照）。なお、図１３中では、各サムネイル画像の詳細な図示を省略して便宜的に番号を付して示している。
【００９３】
このようなマルチ画像では、ユーザーは、公知の方法により、四方向キー２８を操作して１〜９番のうちの一つのサムネイル画像を選択できるようになっている。一方、制御手段５０は、この選択されたサムネイル画像（初期値は、マトリクス中央の５番の画像）に対応したスクリーンネイル画像のデータをＶＲＡＭ５３ｂに書き込む。これにより、第２ＬＣＤ４１には、第１ＬＣＤ３２のマルチ画像内にて選択されているサムネイル画像（図示では５番の画像）の拡大画像（スクリーンネイル）が表示される。このように、再生状態における２画面表示について「マルチ＆選択画面」が設定されている場合には、サムネイル画像とその拡大画像であるスクリーンネイル画像とが同時に表示されるので、従来のようにサムネイル画像（マルチ画像）とスクリーンネイル画像とを一々切替表示させる必要がないので、迅速かつ容易に既撮影画像を確認することができる。
【００９４】
図１４は、２画面表示のメニュー設定を行う際のメニュー画面を示す図、図１５は、２画面表示のメニュー設定処理のフローチャートである。以下、これらの図に基づいて、上述したような２画面表示のメニューをユーザーが設定する際のメニュー設定処理について説明する。
【００９５】
電子カメラ１のユーザーは、各種設定を行う際には、まず、メニューボタン２６を押す。メニューボタン２６が押されると、制御手段５０は、オンスクリーンディスプレイ回路５４ａを制御して、第１ＬＣＤ３２に図１４に示すメインメニュー画面９１を表示させる（図１５のステップＳ００１）。このメインメニュー画面９１では、四方向キー２８を操作してカーソル９２を動かすことにより、「画質」、「サイズ」、「測光方式」および「２画面表示」のうちから設定する項目を選択する（ステップＳ００２）。「画質」、「サイズ」または「測光方式」の文字の位置にカーソル９２を合わせてＯＫボタン２９を押した場合には、それぞれの項目の設定処理へと進むが（ステップＳ００３）、その説明は省略する。
【００９６】
「２画面表示」の文字の位置にカーソル９２を合わせてＯＫボタン２９を押すと、第１ＬＣＤ３２の表示が図１４に示す２画面表示メニュー画面９３に切り替わる。この２画面表示メニュー画面９３では、「通常撮影」、「第２ＬＣＤ反転時」および「再生時」のいずれかの文字の位置にカーソル９２を合わせてＯＫボタン２９を押すことにより、これら３つのいずれかを選択する。
【００９７】
２画面表示メニュー画面９３で「通常撮影」を選択した場合（ステップＳ００４）には、第１ＬＣＤ３２の表示が図１４に示す通常撮影メニュー画面９４に切り替わる。この通常撮影メニュー画面９４では、四方向キー２８を操作してカーソル９２を動かすことにより（ステップＳ００５）、通常撮影状態における２画面表示の内容を、前述した「モード表示」、「中央拡大」、「操作ガイド」および「１コマ前画像」のうちから選択することができる。制御手段５０は、変数ＤＮによって通常撮影における２画面表示の設定状態を認識しており、四方向キー２８からの入力に応じて、「モード表示」が選択された場合にはＤＮ＝０、「中央拡大」が選択された場合にはＤＮ＝１、「操作ガイド」が選択された場合にはＤＮ＝２、「１コマ前画像」が選択された場合にはＤＮ＝３と設定値を変更する（ステップＳ００６）。この設定値は、ＯＫボタン２９が押されることによって確定し（ステップＳ００７）、制御手段５０は、設定された変数ＤＮの値を記憶する（ステップＳ００８）。また、ＯＫボタン２９が押されて設定値が確定した後は、第１ＬＣＤ３２の表示は、ライブビュー表示へ戻る。
【００９８】
２画面表示メニュー画面９３で「第２ＬＣＤ反転時」を選択した場合（ステップＳ００９）には、第１ＬＣＤ３２の表示が図１４に示す第２ＬＣＤ反転時メニュー画面９５に切り替わる。この第２ＬＣＤ反転時メニュー画面９５では、前記と同様に、四方向キー２８を操作してカーソル９２を動かすことにより（ステップＳ０１０）、第２ＬＣＤ反転状態における２画面表示の内容を、前述した「第１ＬＣＤと同じ」、「アニメ表示１」および「アニメ表示２」のうちから選択することができる。制御手段５０は、変数ＤＲによって第２ＬＣＤ反転時における２画面表示の設定状態を認識しており、四方向キー２８からの入力に応じて、「第１ＬＣＤと同じ」が選択された場合にはＤＲ＝０、「アニメ表示１」が選択された場合にはＤＲ＝１、「アニメ表示２」が選択された場合にはＤＲ＝２と設定値を変更する（ステップＳ０１１）。この設定値は、ＯＫボタン２９が押されることによって確定し（ステップＳ０１２）、制御手段５０は、設定された変数ＤＲの値を記憶する（ステップＳ０１３）。
【００９９】
２画面表示メニュー画面９３で「再生時」を選択した場合（ステップＳ０１４）には、第１ＬＣＤ３２の表示が図１４に示す再生時メニュー画面９６に切り替わる。この再生時メニュー画面９６では、前記と同様に、四方向キー２８を操作してカーソル９２を動かすことにより（ステップＳ０１５）、再生状態における２画面表示の内容を、前述した「１コマ前画像」、「撮影データ表示」および「マルチ＆選択画面」のうちから選択することができる。制御手段５０は、変数ＤＰによって再生時における２画面表示の設定状態を認識しており、四方向キー２８からの入力に応じて、「１コマ前画像」が選択された場合にはＤＰ＝０、「撮影データ表示」が選択された場合にはＤＰ＝１、「マルチ＆選択画面」が選択された場合にはＤＰ＝２と設定値を変更する（ステップＳ０１６）。この設定値は、ＯＫボタン２９が押されることによって確定し（ステップＳ０１７）、制御手段５０は、設定された変数ＤＰの値を記憶する（ステップＳ０１８）。
【０１００】
図１６および図１７は、それぞれ、本発明の電子カメラの実施形態における第１ＬＣＤおよび第２ＬＣＤの表示制御を示すフローチャートである。以下、これらの図に基づいて、電子カメラ１における第１ＬＣＤ３２および第２ＬＣＤ４１の表示制御について説明する。
【０１０１】
電子カメラ１の電源オフ状態からメインスイッチ２５が押されてオンすると（図１６中のステップＳ１０１）、制御手段５０が起動して各種設定値の読み込みを行う（ステップＳ１０２）。
【０１０２】
次いで、制御手段５０は、可動部材４の開閉状態を検出する開閉検出スイッチ５５がオンしているか否かを判断し（ステップＳ１０３）、オンしている場合、すなわち可動部材４が開状態の場合には、第１ＬＣＤ３２および第２ＬＣＤ４１の動作（駆動）を許可する（ステップＳ１０４）。
【０１０３】
一方、開閉検出スイッチ５５がオフの場合、すなわち可動部材４が閉状態の場合には、制御手段５０は、表裏反転検出スイッチ５６がオンしているか否かを判断し（ステップＳ１０５）、表裏反転検出スイッチ５６がオンしている場合、すなわち第２ＬＣＤ４１が背面に露出した状態で可動部材４が閉じられている場合（図７に示す状態）には、第１ＬＣＤ３２の動作を禁止する（ステップＳ１０６）とともに、第２ＬＣＤ４１の動作を許可する（ステップＳ１０７）。これに対し、表裏反転検出スイッチ５６がオフの場合、すなわち第２ＬＣＤ４１が第１ＬＣＤ３２と向かい合わせの状態で可動部材４が閉じられている場合（図４に示す状態）には、制御手段５０は、第１ＬＣＤ３２および第２ＬＣＤ４１の動作を共に禁止する（ステップＳ１０８）。
【０１０４】
本実施形態では、このようにして、第１ＬＣＤ３２および第２ＬＣＤ４１のそれぞれが外から見える状態になっているかどうかを自動的に検出することができ、見える状態になっているＬＣＤだけを自動的に駆動する。
【０１０５】
制御手段５０は、メニューボタン２６が押されるかどうかを監視しており（ステップＳ１０９）、メニューボタン２６が押されて２画面表示のメニュー設定が選択された場合には、前述した２画面表示のメニュー設定処理を行う（ステップＳ１１０）。
【０１０６】
また、制御手段５０は、撮影モードであるか再生モードであるか（ＲＥＣ／ＰＬＡＹボタン２７が操作されたか否か）を監視しており（ステップＳ１１１）、撮影モードである場合には、前述したようなモニター動作（ライブビュー画像の生成・表示動作）を行う（ステップＳ１１２）。この場合、制御手段５０は、第１ＬＣＤ３２が動作禁止であるか否かを判断し（ステップＳ１１３）、動作禁止でない場合（動作許可の場合）には、第１ＬＣＤ３２を通常表示として第１ＬＣＤ３２にライブビュー画像を表示させる（ステップＳ１１４）。さらに、制御手段５０は、表裏反転検出スイッチ５６の状態を監視することにより通常撮影状態であるか第２ＬＣＤ反転状態であるかを検出し（ステップＳ１１５）、通常撮影状態である場合には、予め設定・記憶された変数ＤＮの値に基づいて、第２ＬＣＤ４１に「モード表示」、「中央拡大」、「操作ガイド」および「１コマ前画像」のいずれかの場合の表示を行わせる（ステップＳ１１６）。一方、第２ＬＣＤ反転状態である場合には、制御手段５０は、予め設定・記憶された変数ＤＲの値に基づいて、「第１ＬＣＤと同じ」、「アニメ表示１」および「アニメ表示２」のいずれかの場合の表示を行わせる（ステップＳ１１７）。
【０１０７】
これに対し、ステップＳ１１３において第１ＬＣＤ３２が動作禁止となっている場合は、図７に示すように第２ＬＣＤ４１が背面に露出した状態で可動部材４が閉じられている状態である。この場合には、制御手段５０は、第２ＬＣＤ４１を通常表示として第２ＬＣＤ４１にライブビュー画像を表示させる（ステップＳ１１８）。すなわち、図７に示す状態のときには、可動部材４が開かれている場合の第１ＬＣＤ３２の表示を第２ＬＣＤ４１に代替して表示する。これにより、電子カメラ１では、図７に示す状態のときには第２ＬＣＤ４１に表示されるライブビュー画像を見ながら撮影を行うことができるので、２画面表示が必要でない場合には、可動部材４を閉じたままで簡便に撮影を行うことができる。
【０１０８】
このような撮影モードにおいて、レリーズボタン２４が半押しされて測光スイッチ６５がオンした場合には（ステップＳ１１９）、制御手段５０は、前述したように、測光およびＡＦ駆動制御を行う（ステップＳ１２０）。この状態からレリーズボタン２４が全押しされてレリーズスイッチ６６がオンした場合には（ステップＳ１２１）、制御手段５０は、露光制御および記録用静止原画像データの生成を行う（ステップＳ１２２）とともに、生成した記録用静止原画像データから表示用静止画像のスクリーンネイルを生成するとともに、ＶＲＡＭ５３ａ（またはＶＲＡＭ５３ｂ）に書き込んで、一定時間、第１ＬＣＤ３２（または第２ＬＣＤ４１）に表示させる（ステップＳ１２３）。さらに、制御手段５０は、生成した記録用静止原画像データを記録媒体１００に記録する（ステップＳ１２４）。
【０１０９】
ステップＳ１１１において再生モードが選択された場合には、制御手段５０は、まず、直前に撮影・記録された記録画像が有るか否かを判断し（図１７中のステップＳ１２５）、有る場合には、この画像を１コマ前画像の初期画像として設定する（ステップＳ１２６）。
【０１１０】
次いで、制御手段５０は、ユーザーが再生表示することを選択した画像が有るか否かを判断し（ステップＳ１２７）、選択された画像がある場合には、記録媒体１００からその画像データおよび撮影データを読み込む（ステップＳ１２８）。
【０１１１】
そして、制御手段５０は、第１ＬＣＤ３２が動作禁止であるか否かを判断し（ステップＳ１２９）、動作禁止でない場合（動作許可の場合）には、予め設定・記憶された変数ＤＰの値に基づいて、第１ＬＣＤ３２および第２ＬＣＤ４１に前述した「１コマ前画像」、「撮影データ表示」および「マルチ＆選択画面」のいずれかの場合の表示を行わせる（ステップＳ１３０）。
【０１１２】
これに対し、第１ＬＣＤ３２が動作禁止となっている場合、すなわち第２ＬＣＤ４１が背面に露出した状態で可動部材４が閉じられている場合には、制御手段５０は、第２ＬＣＤ４１を通常表示として第２ＬＣＤ４１に選択された画像を再生表示させる（ステップＳ１３１）。これにより、電子カメラ１では、図７に示す状態のときには第２ＬＣＤ４１に既撮影画像を再生表示することができるので、２画面表示が必要でない場合には、可動部材４を閉じたままで簡便に再生表示を行うことができる。
【０１１３】
撮影モードまたは再生モードにおいて、メインスイッチ２５が押されてオンした場合には（図１６中のステップＳ１３２）、制御手段５０は、撮影モードまたは再生モードを終了し、電源オフ状態とする。
【０１１４】
以上、本発明の電子カメラを図示の実施形態について説明したが、本発明は、これに限定されるものではなく、電子カメラを構成する各部は、同様の機能を発揮し得る任意の構成のものと置換することができる。また、任意の構成物が付加されていてもよい。
【０１１５】
本発明の電子カメラでは、第２の画像表示部が第１の画像表示部と同じ方向（背面）を向いた状態で２画面表示を行う場合、第１の画像表示部に表示する内容と第２の画像表示部に表示する内容とが前述した説明と逆（入れ違い）になっていてもよい。
【０１１６】
また、本発明の電子カメラでは、可動部材を支持する第２の回転支持部は、なくてもよい。すなわち、可動部材を開状態としたとき、可動部材の表裏を反転できないものでもよい。
【０１１７】
また、図示の実施形態では、可動部材は、閉状態から開状態に開くときの方向がボディーに対して横方向のものであるが、これに限らず、可動部材がボディーに対して上方向または下方向に開くように構成されていてもよい。
【０１１８】
また、図示の実施形態では、可動部材は、第２の画像表示部の画面にほぼ平行な回転軸を中心としてボディーに対し回動するように構成されているが、これに限らず、可動部材は、第２の画像表示部の画面にほぼ垂直な回転軸を中心としてボディーに対し回動するように構成されていてもよい。すなわち、可動部材の回動方式がレボルバータイプのものでもよい。
【図面の簡単な説明】
【０１１９】
【図１】本発明の電子カメラの実施形態（可動部材が開状態のとき）を示す正面図である。
【図２】本発明の電子カメラの実施形態（可動部材が開状態のとき）を示す平面図である。
【図３】本発明の電子カメラの実施形態（可動部材が開状態のとき）を示す背面図である。
【図４】本発明の電子カメラの実施形態（可動部材が閉状態のとき）を示す背面図である。
【図５】本発明の電子カメラの実施形態（可動部材が閉状態のとき）を示す底面図である。
【図６】本発明の電子カメラの実施形態（可動部材が閉状態のとき）を示す側面図である。
【図７】本発明の電子カメラの実施形態（可動部材が閉状態であって第２ＬＣＤが背面に露出している状態）を示す背面図である。
【図８】本発明の電子カメラの実施形態を示す回路ブロック図である。
【図９】本発明の電子カメラの実施形態を示す背面図（可動部材が開状態であって第２ＬＣＤが背面を向いている状態）であって２画面表示の内容を説明するための図である。
【図１０】本発明の電子カメラの実施形態を示す背面図（可動部材が開状態であって第２ＬＣＤが背面を向いている状態）であって２画面表示の内容を説明するための図である。
【図１１】本発明の電子カメラの実施形態を示す背面図（可動部材が開状態であって第２ＬＣＤが背面を向いている状態）であって２画面表示の内容を説明するための図である。
【図１２】本発明の電子カメラの実施形態を示す背面図（可動部材が開状態であって第２ＬＣＤが背面を向いている状態）であって２画面表示の内容を説明するための図である。
【図１３】本発明の電子カメラの実施形態を示す背面図（可動部材が開状態であって第２ＬＣＤが背面を向いている状態）であって２画面表示の内容を説明するための図である。
【図１４】２画面表示のメニュー設定を行う際のメニュー画面を示す図である。
【図１５】２画面表示のメニュー設定処理のフローチャートである。
【図１６】本発明の電子カメラの実施形態における第１ＬＣＤおよび第２ＬＣＤの表示制御を示すフローチャートである。
【図１７】本発明の電子カメラの実施形態における第１ＬＣＤおよび第２ＬＣＤの表示制御を示すフローチャートである。
【符号の説明】
【０１２０】
１            電子カメラ
２            ボディー
２１          撮影光学系
２２          レンズ鏡筒
２３          ストロボ発光部
２４          レリーズボタン
２５          メインスイッチ
２６          メニューボタン
２７          ＲＥＣ／ＰＬＡＹボタン
２８          四方向キー
２９          ＯＫボタン
３０          ファインダー
３１          ズームレバー
３２          第１ＬＣＤ
３３          回転支持部
３４          第２の回転支持部
４            可動部材
４１          第２ＬＣＤ
５０          制御手段
５１          ＣＣＤ
５２          ＤＲＡＭ
５３ａ、５３ｂ  ＶＲＡＭ
５４ａ、５４ｂ  オンスクリーンディスプレイ回路
５５          開閉検出スイッチ
５６          表裏反転検出スイッチ
５７          ＣＣＤドライバ
５８          フォーカシングレンズ駆動機構
５９          相関二重サンプリング回路
６０          ＡＤ変換器
６１          ＥＥＰＲＯＭ
６２ａ、６２ｂ  ＤＡ変換器
６３ａ、６３ｂ  ビデオエンコーダ
６４ａ、６４ｂ  合成器
６５          測光スイッチ
６６          レリーズスイッチ
６７          インターフェース
９１          メインメニュー画面
９２          カーソル
９３          ２画面表示メニュー画面
９４          通常撮影メニュー画面
９５          第２ＬＣＤ反転時メニュー画面
９６          再生時メニュー画面
１００        記録媒体
Ｓ００１〜Ｓ０１８、Ｓ１０１〜Ｓ１３２  ステップ
【図１】
2005086283.tif 000003
【図２】
2005086283.tif 000004
【図３】
2005086283.tif 000005
【図４】
2005086283.tif 000006
【図５】
2005086283.tif 000007
【図６】
2005086283.tif 000008
【図７】
2005086283.tif 000009
【図８】
2005086283.tif 000010
【図９】
2005086283.tif 000011
【図１０】
2005086283.tif 000012
【図１１】
2005086283.tif 000013
【図１２】
2005086283.tif 000014
【図１３】
2005086283.tif 000015
【図１４】
2005086283.tif 000016
【図１５】
2005086283.tif 000017
【図１６】
2005086283.tif 000018
【図１７】
2005086283.tif 000019